(57)【要約】【課題】多点の同時検出ができ、電極の数を増やすことなく、また、個々の押下げ点が精密に定まるタッチパネル装置を得る。【解決手段】タッチパネル装置１は、短冊型の交差電極を含むタッチパネル４、マトリックス検出手段５、マトリックス記憶手段６、アナログ検出手段７からなり、マトリックス検出手段５がデジタルマトリックス検出を行って押下げ点の交差マトリックスを決定し、当該マトリックスをマトリックス記憶手段６に記憶し、アナログ検出手段７が、マトリックス記憶手段に記憶された交差マトリックスを形成する電極に対して、アナログ検出方式を行うことにより押下げ点の位置を算出するタッチパネル装置。【選択図】図１
2010055453.tif 000002
【特許請求の範囲】
【請求項１】
Ｘ軸、Ｙ軸方向に広がるタッチパネルのＩ点とＪ点が同時に押下げられたときに前記Ｉ点の座標値であるＸｉ、Ｙｉと前記Ｊ点の座標値であるＸｊ、Ｙｊを検出するタッチパネルの位置検出方法において、
透明な可撓性絶縁基材である上部基材と前記上部基材の下面に形成された上部電極群を含む上部電極板と、透明な絶縁基材である下部基材と前記下部基材の上面に形成された下部電極群を含む下部電極板からなり、
前記上部電極群はｐ個（ｐは２以上の正の整数）の上部電極Ｕ１−Ｕｐからなり、前記上部電極は長方形であって、前記上部電極の長手方向はＸ軸に平行であり、前記上部電極は長手方向の両端にバスパーを形成した透明な導電膜からなり、
前記下部電極群はｑ個（ｑは２以上の正の整数）の下部電極Ｌ１−Ｌｑからなり、前記下部電極は長方形であって前記下部電極の長手方向はＹ軸に平行であり、前記下部電極は長手方向の両端にバスパーを形成した透明な導電膜からなっており、
前記上部電極板と前記下部電極板を前記導電膜の間にスペーサを介在して重ね合わせたタッチパネルであり、上部電極板の領域が前記下部電極板に向かって押下げられると、前記領域に位置付けられている上部電極と下部電極が導通するタッチパネルを用いて行う位置検出方法であって、以下の工程を含むタッチパネルの位置検出方法。
イ  下部電極Ｌ１−Ｌｑの全てに電圧を印加しつつ、Ｕ１から順次Ｕｐに至るまで上部電極のバスパーの電圧を測定する走査を行い、電圧が出現した走査時点での上部電極を、押下げ位置が含まれる候補上部電極Ｕａ、Ｕｂと決定する工程。
ロ  上部電極Ｕ１−Ｕｐの全てに電圧を印加しつつ、Ｌ１から順次Ｌｑに至るまで下部電極のバスパーの電圧を測定する走査を行い、電圧が出現した走査時点での下部電極を、押下げ位置が含まれる候補下部電極Ｌａ、Ｌｂと決定する工程。
ハ  候補上部電極Ｕａに電圧を印加し、候補下部電極ＬａとＬｂのバスパーの電圧を測定して、上部電極Ｕａと電圧が出現した下部電極を押下げ位置Ｉ点が含まれる上部電極ＵＩと下部電極ＬＩであると決定する工程。
ニ  候補上部電極Ｕｂに電圧を印加し、候補下部電極ＬａとＬｂのバスパーの電圧を測定して、上部電極Ｕｂと電圧が出現した下部電極を押下げ位置Ｊ点が含まれる上部電極ＵＪと下部電極ＬＪであると決定する工程。
ホ  ＵＩに電力を負荷し、ＬＩのバスパーに現れる電気量を測定し、導電膜の電気抵抗に依存する前記電気量からＸｉを算出し、ＵＪに電力を負荷し、ＬＪのバスパーに現れる電気量を測定し、導電膜の電気抵抗に依存する前記電気量からＸｊを算出し、
ＬＩに電力を負荷し、ＵＩのバスパーに現れる電気量を測定し、導電膜の電気抵抗に依存する前記電気量からＹｉを算出し、ＬＪに電力を負荷し、ＵＪのバスパーに現れる電気量を測定し、導電膜の電気抵抗に依存する前記電気量からＹｊを算出する抵抗膜アナログ算出工程。
【請求項２】
Ｘ軸、Ｙ軸方向に広がるタッチパネルのＩ点とＪ点が同時に押下げられたときに前記Ｉ点の座標値であるＸｉ、Ｙｉと前記Ｊ点の座標値であるＸｊ、Ｙｊを検出するタッチパネルの位置検出方法において、
透明な可撓性絶縁基材である上部基材と前記上部基材の下面に形成された上部電極群を含む上部電極板と、透明な絶縁基材である下部基材と前記下部基材の上面に形成された下部電極群を含む下部電極板からなり、
前記上部電極群はｐ個（ｐは２以上の正の整数）の上部電極Ｕ１−Ｕｐからなり、前記上部電極は長方形であって、前記上部電極の長手方向はＸ軸に平行であり、前記上部電極は長手方向の両端にバスパーを形成した透明な導電膜からなり、
前記下部電極群はｑ個（ｑは２以上の正の整数）の下部電極Ｌ１−Ｌｑからなり、前記下部電極は長方形であって前記下部電極の長手方向はＹ軸に平行であり、前記下部電極は長手方向の両端にバスパーを形成した透明な導電膜からなっており、
前記上部電極板と前記下部電極板を前記導電膜の間にスペーサを介在して重ね合わせたタッチパネルであり、上部電極板の領域が前記下部電極板に向かって押下げられると、前記領域に位置付けられている上部電極と下部電極が導通するタッチパネルを用いて行う位置検出方法であって、以下の工程を含むタッチパネルの位置検出方法。
イ  下部電極Ｌ１に電圧を印加しつつ、Ｕ１から順次Ｕｐに至るまで上部電極のバスパーの電圧を測定する走査を行い、次に下部電極Ｌ２に電圧を印加しつつ、Ｕ１から順次Ｕｐに至るまで上部電極のバスパーの電圧を測定する走査を行い、引き続き下部電極Ｌｑまで同じ操作を行ない、電圧が出現した走査時点での上部電極と下部電極を押下げ位置Ｉ点が含まれる上部電極ＵＩ、下部電極ＬＩと決定し、また、電圧が出現した走査時点での上部電極と下部電極を押下げ位置Ｊ点が含まれる上部電極ＵＪ、下部電極ＬＪと決定する工程。
ロ  ＵＩに電力を負荷し、ＬＩのバスパーに現れる電気量を測定し、導電膜の電気抵抗に依存する前記電気量からＸｉを算出し、ＵＪに電力を負荷し、ＬＪのバスパーに現れる電気量を測定し、導電膜の電気抵抗に依存する前記電気量からＸｊを算出し、
ＬＩに電力を負荷し、ＵＩのバスパーに現れる電気量を測定し、導電膜の電気抵抗に依存する前記電気量からＹｉを算出し、ＬＪに電力を負荷し、ＵＪのバスパーに現れる電気量を測定し、導電膜の電気抵抗に依存する前記電気量からＹｊを算出する抵抗膜アナログ算出工程。
【請求項３】
請求項１乃至２いずれかに記載したタッチパネルの位置検出方法において、
前記抵抗膜アナログ算出工程における前記電力は直流電力であり、前記電気量は直流電圧であることを特徴とする、タッチパネルの位置検出方法。
【請求項４】
請求項１乃至３いずれかに記載したタッチパネルの位置検出方法において、
上部電極と下部電極の形状である長方形の短辺が、１２ｍｍ以上２０ｍｍ以下であることを特徴とする、タッチパネルの位置検出方法。
【請求項５】
請求項１乃至４のいずれかに記載したタッチパネルの位置検出方法において、
上部電極群と下部電極群は、隣り合う電極間の間隔Ｓが０．２ｍｍ以上０．５ｍｍ以下であることを特徴とする、タッチパネルの位置検出方法。
【請求項６】
Ｘ軸、Ｙ軸方向に広がるタッチパネルのＩ点とＪ点が同時に押下げられたときに前記Ｉ点の座標値であるＸｉ、Ｙｉと前記Ｊ点の座標値であるＸｊ、Ｙｊを検出するタッチパネル装置において、
タッチパネル、マトリックス検出手段、候補電極記憶部、マトリックス記憶部、アナログ検出手段からなり、
前記タッチパネルは、透明な可撓性絶縁基材である上部基材と前記上部基材の下面に形成された上部電極群を含む上部電極板と、透明な絶縁基材である下部基材と前記下部基材の上面に形成された下部電極群を含む下部電極板からなり、
前記上部電極群はｐ個（ｐは２以上の正の整数）の上部電極Ｕ１−Ｕｐからなり、前記上部電極は長方形であって、その長手方向はＸ軸に平行であり、前記上部電極は長手方向の両端にバスパーを形成した透明な導電膜からなり、
前記下部電極群はｑ個（ｑは２以上の正の整数）の下部電極Ｌ１−Ｌｑからなり、前記下部電極は長方形であって前記下部電極の長手方向はＹ軸に平行であり、前記下部電極は長手方向の両端にバスパーを形成した透明な導電膜からなっており、
前記上部電極板と前記下部電極板を前記導電膜の間にスペーサを介在して重ね合わせたタッチパネルであり、上部電極板の領域が前記下部電極板に向かって押下げられると、前記領域に位置付けられている上部電極と下部電極が導通するタッチパネルであり、
前記マトリックス検出手段は、下部電極Ｌ１−Ｌｑの全てに電圧を印加しつつ、Ｕ１から順次Ｕｐに至るまで上部電極のバスパーの電圧を測定する走査を行い、電圧が出現した走査時点での上部電極を、押下げ位置が含まれる候補上部電極Ｕａ、Ｕｂと決定し、前記候補電極記憶部にＵａとＵｂを記憶し、
上部電極Ｕ１−Ｕｐの全てに電圧を印加しつつ、Ｌ１から順次Ｌｑに至るまで下部電極のバスパーの電圧を測定する走査を行い、電圧が出現した走査時点での下部電極を、押下げ位置Ｉ点が含まれる候補下部電極Ｌａ、Ｌｂと決定し、前記候補電極記憶部にＬａとＬｂを記憶し、
引き続き、前記マトリックス検出手段は、前記候補電極記憶部に記憶されたＵａ、Ｕｂ、ＬａとＬｂを参照し、候補上部電極Ｕａに電圧を印加し、候補下部電極ＬａとＬｂのバスパーの電圧を測定して、上部電極Ｕａと電圧が出現した下部電極を押下げ位置Ｉ点が含まれる上部電極ＵＩと下部電極ＬＩであると決定し、前記マトリックス記憶部に記憶し、  候補上部電極Ｕｂに電圧を印加し、候補下部電極ＬａとＬｂのバスパーの電圧を測定して、上部電極Ｕｂと電圧が出現した下部電極を押下げ位置Ｊ点が含まれる上部電極ＵＪと下部電極ＬＪであると決定し、前記マトリックス記憶部に記憶し、
前記アナログ検出手段は、前記マトリックス記憶手段に記憶されたＵＩ、ＵＪ、ＬＩとＬＪを参照し、ＵＩに電力を負荷し、ＬＩのバスパーに現れる電気量を測定し、導電膜の電気抵抗に依存する前記電気量からＸｉを算出し、ＵＪに電力を負荷し、ＬＪのバスパーに現れる電気量を測定し、導電膜の電気抵抗に依存する前記電気量からＸｊを算出し、
ＬＩに電力を負荷し、ＵＩのバスパーに現れる電気量を測定し、導電膜の電気抵抗に依存する前記電気量からＹｉを算出し、ＬＪに電力を負荷し、ＵＪのバスパーに現れる電気量を測定し、導電膜の電気抵抗に依存する前記電気量からＹｊを算出する、タッチパネル装置。
【請求項７】
Ｘ軸、Ｙ軸方向に広がるタッチパネルのＩ点とＪ点が同時に押下げられたときに前記Ｉ点の座標値であるＸｉ、Ｙｉと前記Ｊ点の座標値であるＸｊ、Ｙｊを検出するタッチパネル装置において、
タッチパネル、マトリックス検出手段、マトリックス記憶部、アナログ検出手段からなり、
前記タッチパネルは、透明な可撓性絶縁基材である上部基材と前記上部基材の下面に形成された上部電極群を含む上部電極板と、透明な絶縁基材である下部基材と前記下部基材の上面に形成された下部電極群を含む下部電極板からなり、
前記上部電極群はｐ個（ｐは２以上の正の整数）の上部電極Ｕ１−Ｕｐからなり、前記上部電極は長方形であって、その長手方向はＸ軸に平行であり、前記上部電極は長手方向の両端にバスパーを形成した透明な導電膜からなり、
前記下部電極群はｑ個（ｑは２以上の正の整数）の下部電極Ｌ１−Ｌｑからなり、前記下部電極は長方形であって前記下部電極の長手方向はＹ軸に平行であり、前記下部電極は長手方向の両端にバスパーを形成した透明な導電膜からなっており、
前記上部電極板と前記下部電極板を前記導電膜の間にスペーサを介在して重ね合わせたタッチパネルであり、上部電極板の領域が前記下部電極板に向かって押下げられると、前記領域に位置付けられている上部電極と下部電極が導通するタッチパネルであり、
前記マトリックス検出手段は、下部電極Ｌ１に電圧を印加しつつ、Ｕ１から順次Ｕｐに至るまで上部電極のバスパーの電圧を測定する走査を行い、次に下部電極Ｌ２に電圧を印加しつつ、Ｕ１から順次Ｕｐに至るまで上部電極のバスパーの電圧を測定する走査を行い、引き続き下部電極Ｌｑまで同じ操作を行ない、電圧が出現した走査時点での上部電極と下部電極を押下げ位置Ｉ点が含まれる上部電極ＵＩ、下部電極ＬＩと決定し、また、電圧が出現した走査時点での上部電極と下部電極を押下げ位置Ｊ点が含まれる上部電極ＵＪ、下部電極ＬＪと決定し、前記マトリックス記憶部に、ＵＩ、ＬＩ、ＵＪとＬＪを記憶し、
前記アナログ検出手段は、前記マトリックス記憶手段に記憶されたＵＩ、ＵＪ、ＬＩとＬＪを参照し、ＵＩに電力を負荷し、ＬＩのバスパーに現れる電気量を測定し、導電膜の電気抵抗に依存する前記電気量からＸｉを算出し、ＵＪに電力を負荷し、ＬＪのバスパーに現れる電気量を測定し、導電膜の電気抵抗に依存する前記電気量からＸｊを算出し、
ＬＩに電力を負荷し、ＵＩのバスパーに現れる電気量を測定し、導電膜の電気抵抗に依存する前記電気量からＹｉを算出し、ＬＪに電力を負荷し、ＵＪのバスパーに現れる電気量を測定し、導電膜の電気抵抗に依存する前記電気量からＹｊを算出する、タッチパネル装置。
【請求項８】
請求項６乃至７のいずれかに記載したタッチパネル装置において、
前記アナログ検出手段が付加する前記電力は直流電力であり、測定する電気量は直流電圧であることを特徴とするタッチパネル装置。
【請求項９】
請求項６乃至８のいずれかに記載したタッチパネル装置において、
上部電極と下部電極の形状である長方形の短辺が１２ｍｍ以上２０ｍｍ以下であることを特徴とする、タッチパネル装置。
【請求項１０】
請求項６乃至９のいずれかに記載したタッチパネル装置において、
上部電極群と下部電極群は、隣り合う電極間の間隔Ｓが０．２ｍｍ以上０．５ｍｍ以下であることを特徴とする、タッチパネル装置。
【発明の詳細な説明】
【技術分野】
【０００１】
本発明は、ディスプレイ（例えば、液晶表示装置）の表示面に重ねて設置され、指やペンなどで入力を行うタッチパネルの入力位置検出方法と、当該タッチパネル装置に関する。
【背景技術】
【０００２】
従来の抵抗膜マトリックス（デジタル検出）方式タッチパネルは、ライン状の電極を交差する方向に上下に対向させ形成し、押下げによる向かい合わせの面が接触した位置を、ラインの交差点として検出している。（例えば、特許文献１参照。）。
【０００３】
また、従来の抵抗膜アナログ検出方式タッチパネルは、上下部電極の全面が均一な抵抗膜となっていて、片面はＸ軸方向、もう片面はＹ軸方向に電極を引き出し、押下げにより導通した点の電圧値から押下げ点を検出している。（例えば、特許文献２参照。）。
【０００４】
【特許文献１】特開２００７−５２７０６１号公報
【特許文献２】特開平０８−２４１１６０号公報
【発明の開示】
【発明が解決しようとする課題】
【０００５】
従来の抵抗膜マトリックス（デジタル検出）方式タッチパネルは、１点のみならず２点以上の多点が同時に押下げられても、多点の検出が可能である。しかし、押下げ点の位置をより精密に検出しようとすれば、ライン状電極の幅を狭くせざるを得ず、ラインの数が増え、これにより、引き出し回線の数が増える。
【０００６】
従来の抵抗膜アナログ検出方式タッチパネルは、原理上、２点以上の多点が同時に押下げられると、個々の押下げ点を特定することができない。
【０００７】
そこで、本発明は、多点の同時検出ができ、ラインや引き出し線の数を増やすことなく、また、個々の押下げ点が精密に定まるタッチパネルの位置検出方法を得ることを課題とする。
【０００８】
さらに、本発明は、同様なタッチパネル装置を得ることを課題とする。
【０００９】
本発明のその他の課題は、本発明の説明により明らかになる。
【課題を解決するための手段】
【００１０】
本発明の一の態様において、タッチパネルの位置検出方法は、
Ｘ軸、Ｙ軸方向に広がるタッチパネルのＩ点とＪ点が同時に押下げられたときに前記Ｉ点の座標値であるＸｉ、Ｙｉと前記Ｊ点の座標値であるＸｊ、Ｙｊを検出するタッチパネルの位置検出方法において、
透明な可撓性絶縁基材である上部基材と前記上部基材の下面に形成された上部電極群を含む上部電極板と、透明な絶縁基材である下部基材と前記下部基材の上面に形成された下部電極群を含む下部電極板からなり、
前記上部電極群はｐ個（ｐは２以上の正の整数）の上部電極Ｕ１−Ｕｐからなり、前記上部電極は長方形であって、前記上部電極の長手方向はＸ軸に平行であり、前記上部電極は長手方向の両端にバスパーを形成した透明な導電膜からなり、
前記下部電極群はｑ個（ｑは２以上の正の整数）の下部電極Ｌ１−Ｌｑからなり、前記下部電極は長方形であって前記下部電極の長手方向はＹ軸に平行であり、前記下部電極は長手方向の両端にバスパーを形成した透明な導電膜からなっており、
前記上部電極板と前記下部電極板を前記導電膜の間にスペーサを介在して重ね合わせたタッチパネルであり、上部電極板の領域が前記下部電極板に向かって押下げられると、前記領域に位置付けられている上部電極と下部電極が導通するタッチパネルを用いて行う位置検出方法であって、以下の工程を含む。
イ  下部電極Ｌ１−Ｌｑの全てに電圧を印加しつつ、Ｕ１から順次Ｕｐに至るまで上部電極のバスパーの電圧を測定する走査を行い、電圧が出現した走査時点での上部電極を、押下げ位置が含まれる候補上部電極Ｕａ、Ｕｂと決定する工程。
ロ  上部電極Ｕ１−Ｕｐの全てに電圧を印加しつつ、Ｌ１から順次Ｌｑに至るまで下部電極のバスパーの電圧を測定する走査を行い、電圧が出現した走査時点での下部電極を、押下げ位置が含まれる候補下部電極Ｌａ、Ｌｂと決定する工程。
ハ  候補上部電極Ｕａに電圧を印加し、候補下部電極ＬａとＬｂのバスパーの電圧を測定して、上部電極Ｕａと電圧が出現した下部電極を押下げ位置Ｉ点が含まれる上部電極ＵＩと下部電極ＬＩであると決定する工程。
ニ  候補上部電極Ｕｂに電圧を印加し、候補下部電極ＬａとＬｂのバスパーの電圧を測定して、上部電極Ｕｂと電圧が出現した下部電極を押下げ位置Ｊ点が含まれる上部電極ＵＪと下部電極ＬＪであると決定する工程。
ホ  ＵＩに電力を負荷し、ＬＩのバスパーに現れる電気量を測定し、導電膜の電気抵抗に依存する前記電気量からＸｉを算出し、ＵＪに電力を負荷し、ＬＪのバスパーに現れる電気量を測定し、導電膜の電気抵抗に依存する前記電気量からＸｊを算出し、
ＬＩに電力を負荷し、ＵＩのバスパーに現れる電気量を測定し、導電膜の電気抵抗に依存する前記電気量からＹｉを算出し、ＬＪに電力を負荷し、ＵＪのバスパーに現れる電気量を測定し、導電膜の電気抵抗に依存する前記電気量からＹｊを算出する抵抗膜アナログ算出工程。
【００１１】
本発明の他の態様において、タッチパネルの位置検出方法は、
Ｘ軸、Ｙ軸方向に広がるタッチパネルのＩ点とＪ点が同時に押下げられたときに前記Ｉ点の座標値であるＸｉ、Ｙｉと前記Ｊ点の座標値であるＸｊ、Ｙｊを検出するタッチパネルの位置検出方法において、
透明な可撓性絶縁基材である上部基材と前記上部基材の下面に形成された上部電極群を含む上部電極板と、透明な絶縁基材である下部基材と前記下部基材の上面に形成された下部電極群を含む下部電極板からなり、
前記上部電極群はｐ個（ｐは２以上の正の整数）の上部電極Ｕ１−Ｕｐからなり、前記上部電極は長方形であって、前記上部電極の長手方向はＸ軸に平行であり、前記上部電極は長手方向の両端にバスパーを形成した透明な導電膜からなり、
前記下部電極群はｑ個（ｑは２以上の正の整数）の下部電極Ｌ１−Ｌｑからなり、前記下部電極は長方形であって前記下部電極の長手方向はＹ軸に平行であり、前記下部電極は長手方向の両端にバスパーを形成した透明な導電膜からなっており、
前記上部電極板と前記下部電極板を前記導電膜の間にスペーサを介在して重ね合わせたタッチパネルであり、上部電極板の領域が前記下部電極板に向かって押下げられると、前記領域に位置付けられている上部電極と下部電極が導通するタッチパネルを用いて行う位置検出方法であって、以下の工程を含む。
イ  下部電極Ｌ１に電圧を印加しつつ、Ｕ１から順次Ｕｐに至るまで上部電極のバスパーの電圧を測定する走査を行い、次に下部電極Ｌ２に電圧を印加しつつ、Ｕ１から順次Ｕｐに至るまで上部電極のバスパーの電圧を測定する走査を行い、引き続き下部電極Ｌｑまで同じ操作を行ない、電圧が出現した走査時点での上部電極と下部電極を押下げ位置Ｉ点が含まれる上部電極ＵＩ、下部電極ＬＩと決定し、また、電圧が出現した走査時点での上部電極と下部電極を押下げ位置Ｊ点が含まれる上部電極ＵＪ、下部電極ＬＪと決定する工程。
ロ  ＵＩに電力を負荷し、ＬＩのバスパーに現れる電気量を測定し、導電膜の電気抵抗に依存する前記電気量からＸｉを算出し、ＵＪに電力を負荷し、ＬＪのバスパーに現れる電気量を測定し、導電膜の電気抵抗に依存する前記電気量からＸｊを算出し、
ＬＩに電力を負荷し、ＵＩのバスパーに現れる電気量を測定し、導電膜の電気抵抗に依存する前記電気量からＹｉを算出し、ＬＪに電力を負荷し、ＵＪのバスパーに現れる電気量を測定し、導電膜の電気抵抗に依存する前記電気量からＹｊを算出する抵抗膜アナログ算出工程。
【００１２】
本発明の好ましい実施態様にかかるタッチパネルの位置検出方法は、本発明にかかるタッチパネルの位置検出方法において、
前記抵抗膜アナログ算出工程における前記電力は直流電力であり、前記電気量は直流電圧であってもよい。
【００１３】
本好ましい実施態様によれば、抵抗膜アナログ検出方式を行う工程が、従来から最も普及している直流電力の付加、直流電圧の測定により行われるので、従来のタッチパネル部分と検出方法などをそのまま本発明に適用することができる。よって、より一層容易、かつ、安価に行えるタッチパネルの位置検出方法となる。
【００１４】
本発明の他の好ましい実施態様にかかるタッチパネルの位置検出方法にあっては、
上部電極と下部電極の形状である長方形の短辺が、１２ｍｍ以上２０ｍｍ以下であるタッチパネルを使用するものであってもよい。
【００１５】
本好ましい実施態様によれば、上部電極群と下部電極群が重なるｐ×ｑ個のマトリックス領域の個々のマトリックス領域に指が一本だけ入る確率が高まり、複数指での押下げ入力による多点検出がより一層単純化される。
【００１６】
本発明のその他の好ましい実施態様にかかるタッチパネルの位置検出方法にあっては、上部電極群と下部電極群は、隣り合う電極間の間隔Ｓが０．２ｍｍ以上０．５ｍｍ以下であるタッチパネルを使用するものであってもよい。
【００１７】
通常、タッチパネルの入力は指かスタイラスペンで行う。先端がより細いスタイラスペンによる入力を想定すれば、スタイラスペンの先端は一定の大きさがあるので、電極間の間隔を上記の値範囲にすれば、スタイラスペンの入力点を精度よく捕らえることができるからである。
【００１８】
本発明のその他の態様にかかるタッチパネル装置は、
Ｘ軸、Ｙ軸方向に広がるタッチパネルのＩ点とＪ点が同時に押下げられたときに前記Ｉ点の座標値であるＸｉ、Ｙｉと前記Ｊ点の座標値であるＸｊ、Ｙｊを検出するタッチパネル装置において、
タッチパネル、マトリックス検出手段、候補電極記憶部、マトリックス記憶部、アナログ検出手段からなり、
前記タッチパネルは、透明な可撓性絶縁基材である上部基材と前記上部基材の下面に形成された上部電極群を含む上部電極板と、透明な絶縁基材である下部基材と前記下部基材の上面に形成された下部電極群を含む下部電極板からなり、
前記上部電極群はｐ個（ｐは２以上の正の整数）の上部電極Ｕ１−Ｕｐからなり、前記上部電極は長方形であって、その長手方向はＸ軸に平行であり、前記上部電極は長手方向の両端にバスパーを形成した透明な導電膜からなり、
前記下部電極群はｑ個（ｑは２以上の正の整数）の下部電極Ｌ１−Ｌｑからなり、前記下部電極は長方形であって前記下部電極の長手方向はＹ軸に平行であり、前記下部電極は長手方向の両端にバスパーを形成した透明な導電膜からなっており、
前記上部電極板と前記下部電極板を前記導電膜の間にスペーサを介在して重ね合わせたタッチパネルであり、上部電極板の領域が前記下部電極板に向かって押下げられると、前記領域に位置付けられている上部電極と下部電極が導通するタッチパネルであり、
前記マトリックス検出手段は、下部電極Ｌ１−Ｌｑの全てに電圧を印加しつつ、Ｕ１から順次Ｕｐに至るまで上部電極のバスパーの電圧を測定する走査を行い、電圧が出現した走査時点での上部電極を、押下げ位置が含まれる候補上部電極Ｕａ、Ｕｂと決定し、前記候補電極記憶部にＵａとＵｂを記憶し、
上部電極Ｕ１−Ｕｐの全てに電圧を印加しつつ、Ｌ１から順次Ｌｑに至るまで下部電極のバスパーの電圧を測定する走査を行い、電圧が出現した走査時点での下部電極を、押下げ位置Ｉ点が含まれる候補下部電極Ｌａ、Ｌｂと決定し、前記候補電極記憶部にＬａとＬｂを記憶し、
引き続き、前記マトリックス検出手段は、前記候補電極記憶部に記憶されたＵａ、Ｕｂ、ＬａとＬｂを参照し、候補上部電極Ｕａに電圧を印加し、候補下部電極ＬａとＬｂのバスパーの電圧を測定して、上部電極Ｕａと電圧が出現した下部電極を押下げ位置Ｉ点が含まれる上部電極ＵＩと下部電極ＬＩであると決定し、前記マトリックス記憶部に記憶し、  候補上部電極Ｕｂに電圧を印加し、候補下部電極ＬａとＬｂのバスパーの電圧を測定して、上部電極Ｕｂと電圧が出現した下部電極を押下げ位置Ｊ点が含まれる上部電極ＵＪと下部電極ＬＪであると決定し、前記マトリックス記憶部に記憶し、
前記アナログ検出手段は、前記マトリックス記憶手段に記憶されたＵＩ、ＵＪ、ＬＩとＬＪを参照し、ＵＩに電力を負荷し、ＬＩのバスパーに現れる電気量を測定し、導電膜の電気抵抗に依存する前記電気量からＸｉを算出し、ＵＪに電力を負荷し、ＬＪのバスパーに現れる電気量を測定し、導電膜の電気抵抗に依存する前記電気量からＸｊを算出し、
ＬＩに電力を負荷し、ＵＩのバスパーに現れる電気量を測定し、導電膜の電気抵抗に依存する前記電気量からＹｉを算出し、ＬＪに電力を負荷し、ＵＪのバスパーに現れる電気量を測定し、導電膜の電気抵抗に依存する前記電気量からＹｊを算出する。
【００１９】
本発明のさらに他の態様にかかるタッチパネル装置は、
Ｘ軸、Ｙ軸方向に広がるタッチパネルのＩ点とＪ点が同時に押下げられたときに前記Ｉ点の座標値であるＸｉ、Ｙｉと前記Ｊ点の座標値であるＸｊ、Ｙｊを検出するタッチパネル装置において、
タッチパネル、マトリックス検出手段、マトリックス記憶部、アナログ検出手段からなり、
前記タッチパネルは、透明な可撓性絶縁基材である上部基材と前記上部基材の下面に形成された上部電極群を含む上部電極板と、透明な絶縁基材である下部基材と前記下部基材の上面に形成された下部電極群を含む下部電極板からなり、
前記上部電極群はｐ個（ｐは２以上の正の整数）の上部電極Ｕ１−Ｕｐからなり、前記上部電極は長方形であって、その長手方向はＸ軸に平行であり、前記上部電極は長手方向の両端にバスパーを形成した透明な導電膜からなり、
前記下部電極群はｑ個（ｑは２以上の正の整数）の下部電極Ｌ１−Ｌｑからなり、前記下部電極は長方形であって前記下部電極の長手方向はＹ軸に平行であり、前記下部電極は長手方向の両端にバスパーを形成した透明な導電膜からなっており、
前記上部電極板と前記下部電極板を前記導電膜の間にスペーサを介在して重ね合わせたタッチパネルであり、上部電極板の領域が前記下部電極板に向かって押下げられると、前記領域に位置付けられている上部電極と下部電極が導通するタッチパネルであり、
前記マトリックス検出手段は、下部電極Ｌ１に電圧を印加しつつ、Ｕ１から順次Ｕｐに至るまで上部電極のバスパーの電圧を測定する走査を行い、次に下部電極Ｌ２に電圧を印加しつつ、Ｕ１から順次Ｕｐに至るまで上部電極のバスパーの電圧を測定する走査を行い、引き続き下部電極Ｌｑまで同じ操作を行ない、電圧が出現した走査時点での上部電極と下部電極を押下げ位置Ｉ点が含まれる上部電極ＵＩ、下部電極ＬＩと決定し、また、電圧が出現した走査時点での上部電極と下部電極を押下げ位置Ｊ点が含まれる上部電極ＵＪ、下部電極ＬＪと決定し、前記マトリックス記憶部に、ＵＩ、ＬＩ、ＵＪとＬＪを記憶し、
前記アナログ検出手段は、前記マトリックス記憶手段に記憶されたＵＩ、ＵＪ、ＬＩとＬＪを参照し、ＵＩに電力を負荷し、ＬＩのバスパーに現れる電気量を測定し、導電膜の電気抵抗に依存する前記電気量からＸｉを算出し、ＵＪに電力を負荷し、ＬＪのバスパーに現れる電気量を測定し、導電膜の電気抵抗に依存する前記電気量からＸｊを算出し、
ＬＩに電力を負荷し、ＵＩのバスパーに現れる電気量を測定し、導電膜の電気抵抗に依存する前記電気量からＹｉを算出し、ＬＪに電力を負荷し、ＵＪのバスパーに現れる電気量を測定し、導電膜の電気抵抗に依存する前記電気量からＹｊを算出する。
【００２０】
本発明の好ましい実施態様にかかるタッチパネル装置は、本発明にかかるタッチパネル装置において、前記アナログ検出手段が付加する前記電力は直流電力であり、測定する電気量は直流電圧であってもよい。
【００２１】
本好ましい実施態様によれば、アナログ検出手段が行う検出は、従来より、最も普及している直流電力の付加し、直流電圧を測定することにより行われるので、従来のアナログ検出タッチパネル装置の一部分をそのまま本発明に適用することができる。よって、より一層、安価に製造でき、また、安定的に使用できるタッチパネル装置となる。
【００２２】
本発明の他の好ましい実施態様にかかるタッチパネル装置は、本発明にかかるタッチパネル装置において、上部電極と下部電極の形状である長方形の短辺が１２ｍｍ以上２０ｍｍ以下であってもよい。
【００２３】
本好ましい実施態様によれば、上部電極群と下部電極群が重なるｐ×ｑ個のマトリックス領域の個々のマトリックス領域に指が一本だけ入る確率が高まり、複数指での多点押下げ位置を、より一層容易に検出できるタッチパネル装置となる。
【００２４】
本発明のその他の好ましい実施態様にかかるタッチパネル装置は、本発明にかかるタッチパネル装置において、上部電極群と下部電極群は、隣り合う電極間の間隔Ｓが０．２ｍｍ以上０．５ｍｍ以下であってもよい。
【００２５】
通常、タッチパネルの入力は指かスタイラスペンで行う。先端がより細いスタイラスペンによる入力を想定すれば、スタイラスペンの先端は一定の大きさがあるので、電極間の間隔を上記の値範囲にすれば、スタイラスペンの入力点を精度よく捕らえることができるからである。
【００２６】
以上説明した本発明、本発明の好ましい実施態様、これらに含まれる構成要素は可能な限り組み合わせて実施することができる。
【発明の効果】
【００２７】
本発明のタッチパネル位置検出方法は、抵抗膜マトリックス（デジタル検出）方式を行い、押下げ点が検出された電極についてだけ抵抗膜アナログ検出方式を行い、精密な位置を検出する方法であり、多点検出が可能となり、精密な位置検出が行われ、かつ、一回の位置検出操作を短時間で行うことができる。よって、微細な時間間隔で、押下げ点の移動追跡が可能である。
【００２８】
一方、本発明のタッチパネル位置検出方法に使用するタッチパネルは、上部電極と下部電極から形成される升目が荒い枡目であっても、精密な位置検出が可能となる。よって、ライン数を増やす必要がないので、引き出し回線や、当該回線を引き回すスペースも増えない。また、升目の間隙に位置する非導電膜領域の数が少なくなり、目立たない。
【００２９】
本発明のタッチパネル検出装置は、抵抗膜マトリックス（デジタル検出）方式による検出を行い、押し圧点が検出された電極についてだけ抵抗膜アナログ検出を行う装置であり、上部電極と下部電極から形成される升目が荒い枡目であっても、精密な位置検出が可能となる。よって、ライン数を増やす必要がないので、引き出し回線や、当該回線を引き回すスペースも増えない。また、升目の間隙に位置する非導電膜領域の数が少なくなり、目立たない。
【００３０】
一方、採用されている位置検出方法により、多点検出が可能となり、精密な位置検出が行われ、かつ、一回の位置検出操作を短時間で行うことができる。よって、微細な時間間隔で、押下げ点の移動追跡が可能である。
【発明を実施するための最良の形態】
【００３１】
以下、図面を参照して本発明の実施例にかかるタッチパネルの位置検出方法とタッチパネル装置をさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００３２】
図１はタッチパネル装置１の概念説明図であり、図２はタッチパネル４の分解説明図である。
【００３３】
タッチパネル装置１は、タッチパネル４とマトリックス検出手段５、マトリックス記憶部６、候補電極記憶部８、アナログ検出手段７からなる。マトリックス検出手段５とアナログ検出手段７は、直流電源４１と電圧測定器４２を含む。電圧測定器４２は直流電気の電圧を測定する。直流電源４１は電力供給手段であり、電圧測定器４２は電気量測定手段である。
【００３４】
図示したようにマトリックス検出手段５とアナログ検出手段７は、単一の直流電源４１と単一の電圧測定器４２を共用するものであってもよい。あるいは、マトリックス検出手段５は、直流電源と電圧測定器を備え、アナログ検出手段７は、他の直流電源と他の電圧測定器を備えていてもよい。
【００３５】
上記のマトリックス検出手段５とアナログ検出手段７は、コンピュータに組み込まれたプログラムとＣＰＵ、ＲＡＭ、ＲＯＭ、ＩＣなどにより実現できる。上記のマトリックス記憶部６と候補電極記憶部８は、例えば、コンピュータのハードメモリー内の一定部分を割り当てることで実現できる。
【００３６】
図２を参照して、タッチパネル４は、透明な可撓性絶縁基材である上部基材１１の下面に形成された４個の上部電極群１２を含んだ上部電極板１０を含む。また、タッチパネル４は、透明な絶縁基材である下部基材２１の上面に形成された４個の下部電極群２２を含んだ下部電極板２０を含む。本実施例では、上部電極群１２は４個の上部電極からなり、下部電極群２２は４個の下部電極からなっている。
【００３７】
単一のタッチパネルに含まれる上部電極群の数ｐと下部電極群の数ｑは、ｐが２以上、ｑが２以上の正の整数であれば、任意に定めることができ、これらの範囲であれば、本発明の技術範囲に含まれる。ｐとｑの上限値は特に限定されない。
【００３８】
そして、ｐとｑの上限値はタッチパネルの大きさと制御回路に依存する。タッチパネルを大きくする場合は、例えばＸ軸方向の長さ５００ｍｍ、Ｙ軸方向の長さ５００ｍｍであれば、ｐを２５０、ｑを２５０にすればよい。
【００３９】
妥当な製造コストでかつ処理速度が実用に耐えるという観点からは、ｐとｑの合計値の上限値を好ましくは５０、より好ましくは１２にすることができる。ｐの値は、上記合計値の、通常１／５から４／５の範囲の整数値、好ましくは１／２に最も近い整数値にすればよい。ｑの値は合計値からｐを減算した値であり、好ましい値も同様に算出される。
【００４０】
上部電極群１２は上部電極Ｕ１（１２１）、Ｕ２（１２２）、Ｕ３（１２３）、Ｕ４（１２４）からなる。各々の上部電極は平面形状が長方形であって、長方形の長手方向はＸ軸に平行である。図中にＸ軸とＹ軸の方向を図示している。各々の上部電極は長手方向の両端にバスパー１３を形成した透明な導電膜１４からなる。バスパー１３は長方形の短辺に平行に、かつ、短辺を含むかあるいは短辺の近傍に形成されている。
【００４１】
下部電極群２２は下部電極Ｌ１（２２１）、Ｌ２（２２２）、Ｌ３（２２３）、Ｌ４（２２４）からなる。各々の上部電極は平面が長方形であって、長方形の長手方向はＹ軸に平行である。各々の上部電極は長手方向の両端にバスパー２３を形成した透明な導電膜２４からなる。バスパー２３は長方形の短辺に平行に、かつ、短辺を含むかあるいは短辺の近傍に形成されている。
【００４２】
上部電極板１０と下部電極板２０は、導電膜１４、２４の間にスペーサ３１を介在して重ね合わされ、両面テープ３２により周縁部が張り合わされて、タッチパネル４となる。スペーサ３１は上部電極群１２と下部電極群２２の全面に配置されるが、図２では一部分にだけ図示し、残余の部分は図示を省略している。
【００４３】
タッチパネル４は４個の上部電極群１２と４個の下部電極群２２が重なる１６個のマトリックス領域に区分されている。以上を一般化して表現すれば、タッチパネルはｐ個の上部電極群とｑ個の下部電極群が重なるｐ×ｑ個のマトリックス領域に区分されている。
【００４４】
本発明において、上部電極群と下部電極群が必ずしも、直交状態に交わることは必要ではなく、いかなる角度で交わっていても、タッチパネルの入力領域がｐ×ｑ個の領域に区分されていればよい。例えば、交角（２つの角の中で数値の小さいほうの角度）が４５度以上９０度未満の値であってもよい。もっとも、押下げ位置の算出が容易となる９０度で交わることが好ましい。
【００４５】
タッチパネル４において、上部電極板の領域が下部電極板に向かって押下げられると、押下げ領域に位置付けられている上部電極と下部電極が電気的に導通する。押下げは、例えば、指、スタイラスペン、棒などで行えばよい。
【００４６】
長方形の上部電極と長方形の下部電極において、短辺の長さＷは、特に制限なく任意の値に定めることができるが、好ましくは１２ｍｍ以上２０ｍｍ以下であり、より好ましくは１４ｍｍ以上１８ｍｍ以下である。指による入力を行う場合を想定すれば、一のマトリックスが指の腹の大きさに対応していればよいからであり、当該範囲にすれば、上部電極群と下部電極群が重なるｐ×ｑ個のマトリックス領域の個々のマトリックス領域に指が一本だけ入る確率が高まり、多点検出がより一層単純化されるからである。
【００４７】
当該短辺の長さＷは、各上部電極Ｕ１、Ｕ２、Ｕ３、Ｕ４について上記範囲内の一定値で等しくてもよく、また、上記範囲内で異なる値であってもよい。各下部電極についても同じである。アナログ検出時の計算処理を単純化するなどの観点から、好ましくは、上記範囲内の一定値で等しいことである。
【００４８】
また、上部電極群と下部電極群において、隣り合う電極間の間隔Ｓは、特に制限なく任意の値に定めることができるが、好ましくは０．２ｍｍ以上０．５ｍｍ以下の一定値、より好ましくは０．３ｍｍ以上０．４ｍｍ以下の一定値にすればよい。通常、タッチパネルの入力は指かスタイラスペンで行う。先端がより細いスタイラスペンによる入力を想定すれば、スタイラスペンの先端は一定の大きさがあるので、電極間の間隔を上記の値範囲にすれば、スタイラスペンの入力点を精度よく捕らえることができるからである。
【００４９】
当該電極間の間隔Ｓは、上部電極Ｕ１とＵ２の間隔、Ｕ２とＵ３の間隔、Ｕ３とＵ４について上記範囲内の一定値で等しくてもよく、また、上記範囲内で異なる値であってもよい。各下部電極についても同じである。好ましくは、上記範囲内の一定値で等しいことである。
【００５０】
タッチパネル４の各部の材料、その形成方法などは従来の抵抗膜マトリックス（デジタル検出）方式あるいは抵抗膜アナログ検出方式のタッチパネルと同様である。
【００５１】
タッチパネル４は、通常、ディスプレイの表示面を覆うように設置され、タッチパネル４を介してディスプレイの表示が視認される。ディスプレイは、フラットパネルディスプレイやＣＲＴディスプレイを含む。フラットパネルディスプレイは薄板状の表示装置を意味し、液晶ディスプレイ、ＦＬ（エレクトロルミネッセンス）、ＬＥＤ（発光ダイオード）、ＰＤＰ（プラズマディスプレイ）、ＦＥＤ（フィールドエミッションディスプレイ）などを含むものである。
【００５２】
次に、タッチパネル装置１の位置検出方法を説明する。図３は位置検出方法の説明図であり、図４はマトリックス検出手段が行う位置検出のフローチャートであり、図５はアナログ検出手段が行う位置検出のフローチャートである。
【００５３】
フローチャートのＳと２桁（あるいは３桁）の数字はステップを示している。
【００５４】
Ｓ０１で、マトリックス検出手段５は、直流電源４１の直流電圧を下部電極群の全ての電極に印加する。本例では下部電極Ｌ１−Ｌ４の４個の電極に電圧が印加される。Ｓ０２で、マトリックス検出手段５は、電圧測定器４２を用いＵＡの電圧を測定する。ここで添字Ａは１から始まり、１から４のいずれかの整数である。電圧が検知されればＳ０３に移行し、電圧が検知されない場合はＳ０４に移行する。
【００５５】
電圧が検知されることは、ＵＡが含む４個の交差マトリックスのいずれかが押下げられ当該交差マトリックスが電気導通状態にあることを意味している。Ｓ０３でマトリックス検出手段５は、その時の上部電極ＵＡを候補電極記憶部８に記憶する。
【００５６】
Ｓ０４で、マトリックス検出手段５は下部電極の添字の値Ａを判断する。Ａ＜４であればＳ０２に移行し、Ａ＝４であればＳ０６に移行する。Ｓ０２からＳ０４を繰り返して行うことにより、引き続く下部電極での電圧測定が行われる。
【００５７】
Ｓ０６で、マトリックス検出手段５は、直流電源４１の直流電圧を上部電極群の全ての電極に印加する。本例では上部電極Ｕ１−Ｕ４の４個の電極に電圧が印加される。Ｓ０７で、マトリックス検出手段５は、電圧測定器４２を用いＬＡの電圧を測定する。ここで添字Ａは１から始まり、１から４のいずれかの整数である。電圧が検知されればＳ０８に移行し、電圧が検知されない場合はＳ０９に移行する。
【００５８】
Ｓ０８で、マトリックス検出手段５は、その時の下部電極ＬＡを候補電極記憶部８に記憶する。
【００５９】
引き続き、Ｓ０７からＳ０９を、Ｓ０２からＳ０４と同様に繰り返す。
【００６０】
Ｓ１０で、マトリックス検出手段５は候補電極記憶部８に記憶された上部電極Ｕａ、Ｕｂと下部電極Ｌａ、Ｌｂを呼び出す。
【００６１】
Ｓ１１でマトリックス検出手段５は、直流電源４１の直流電圧をＵａに印加する。Ｓ１２でマトリックス検出手段５は、電圧測定器４２を用いＬａの電圧を測定する。Ｓ１３でマトリックス検出手段５は、電圧測定器４２を用いＬｂの電圧を測定する。
【００６２】
Ｓ１４でマトリックス検出手段５は、ＬａとＬｂの中で、電圧が検知された下部電極をＬＩと決定する。ここでＬＩと対になる上部電極はＵａであるから、ＵａをＵＩとして、マトリックス記憶部６に記憶する。同時にＬＩもマトリックス記憶部６に記憶する。
【００６３】
Ｓ１５でマトリックス検出手段５は、直流電源４１の直流電圧をＵｂに印加する。Ｓ１６でマトリックス検出手段５は、電圧測定器４２を用いＬａの電圧を測定する。Ｓ１７でマトリックス検出手段５は、電圧測定器４２を用いＬｂの電圧を測定する。
【００６４】
Ｓ１８でマトリックス検出手段５は、ＬａとＬｂの中で、電圧が検知された下部電極をＬＪと決定する。ここでＬＪと対になる上部電極はＵｂであるから、ＵｂをＵＪとして、マトリックス記憶部６に記憶する。同時にＬＪもマトリックス記憶部６に記憶する。
以上の操作が終了すれば、Ｓ２１へ移行する。
【００６５】
以上説明したマトリックス検出手段５による、押下げマトリックスの検出は、従来の抵抗膜マトリックス（デジタル）検出方式とほぼ同様である。
【００６６】
Ｓ１０からＳ１８の操作は、対になる上部電極と下部電極を定める操作であり、変形して実施が可能である。例えば、電圧を印加する電極を下部電極にして、上部電極に現れる電圧を検出してもよい。また、例えば、Ｓ１２、Ｓ１３と続く操作で、Ｌａ、Ｌｂの順に電圧を測定しているが、この操作をＬｂ、Ｌａの順に行っても同じ結果に到達する。
【００６７】
図３を参照して、本例ではＵ２とＬ２が交差したマトリックス内のＩ点と、Ｕ４とＬ４が交差したマトリックス内のＪ点が押下げられている。したがって、マトリックス記憶部６内には、Ｕ２とＬ２の組と、Ｕ４とＬ４の組が記憶される。
【００６８】
Ｓ２１以降の位置検出方法を説明する。Ｓ２１でアナログ検出手段７は、マトリックス記憶部に記憶された一対の電極ＵＩ、ＬＩを読み出す。図５のフローチャート中では、説明の簡略化のために、Ｓ２２で、ＵＩ＝ＵＣ、ＬＩ＝ＬＣに置換している。
【００６９】
Ｓ２３で、アナログ検出手段７は直流電源４１の直流電圧をＵＣに負荷する。Ｓ２４で、アナログ検出手段７は、電圧測定器４２を用いＬＣに現れる電圧値を測定する。Ｓ２５で、当該電圧値からＩ点のＸ座標値Ｘｉを算出する。
【００７０】
Ｓ２６で、アナログ検出手段７は直流電源４１の直流電圧をＬＣに負荷する。Ｓ２７で、アナログ検出手段７は、電圧測定器４２を用いＵＣに現れる電圧値を測定する。Ｓ２８で、当該電圧値からＩ点のＹ座標値Ｙｉを算出する。
【００７１】
次に、Ｓ２９でアナログ検出手段７は、マトリックス記憶部に記憶された一対の電極ＵＪ、ＬＪを読み出す。
【００７２】
Ｓ３０で、ＵＪ＝ＵＣ、ＬＪ＝ＬＣに置換している。そして、Ｓ２３からＳ２８を繰り返し、Ｊ点のＸ座標値ＸｊとＹ座標値Ｙｊを決定する。
【００７３】
以上説明したアナログ検出手段７による、押下げ位置の算出は、従来の抵抗膜アナログ検出方式と同様である。測定電圧値から座標点に換算する計算式も従来の抵抗膜アナログ検出方式と同様である。
【００７４】
複数の押下げ点の全てについて座標値を決定すると、単一回の位置検出過程が終了する。そして、Ｓ０１に戻り、次回の位置検出過程を繰り返す。
【００７５】
位置検出過程（Ｓ０１からＳ３２まで）は、１秒間に通常１００回以上２００回以下、より好ましくは１５０回以上２００回以下の一定回数おこなえばよい。上記範囲内であれば、押下げ点の移動を追跡することが可能となる等からである。
【００７６】
以上説明したマトリックス検出手段５による、押下げマトリックスの検出は、以下に説明する変形した操作によるものであってもよい。
【００７７】
図６はマトリックス検出手段５が行う変形された位置検出のフローチャートである。
【００７８】
Ｓ１０１で、マトリックス検出手段５は直流電源４１の直流電圧をＵＡに印加する。ここで添字Ａは１から始まり、１から４のいずれかの整数である。Ｓ１０２で、マトリックス検出手段５は、電圧測定器４２を用いＬＢの電圧を測定する。ここで添字Ｂは１から始まり、１から４のいずれかの整数である。電圧が検知されればＳ１０３に移行し、電圧が検知されない場合はＳ１０４に移行する。
【００７９】
電圧が検知されることは、ＵＡとＬＢの交差マトリックスが押し下げられ当該マトリックス領域で電気導通状態にあることを意味している。Ｓ１０３でマトリックス検出手段５は、その時の上部電極ＵＡと下部電極ＬＢをマトリックス記憶部６に記憶する。
【００８０】
Ｓ１０４で、マトリックス検出手段５は下部電極の添字の値Ｂを判断する。Ｂ＜４であればＳ１０２に移行し、Ｂ＝４であればＳ１０５に移行する。Ｓ１０２からＳ１０４を繰り返して行うことにより、引き続く下部電極での電圧測定が行われる。
【００８１】
Ｓ１０５で、マトリックス検出手段５は上部電極の添字の値Ａを判断する。Ａ＜４であればＳ１０１に移行し、Ａ＝４であればＳ２１に移行する。Ｓ１０１からＳ１０５を繰り返して行うことにより、引き続く上部電極電圧印加下における下部電極での電圧測定が行われる。
【００８２】
以上説明した変形した操作では、電圧検知時の上部電極と下部電極は、単一のマトリックスを表現する一組のＵＩ、ＬＩ（あるいはＵＪ、ＬＪ）として決定される。したがって、図４のフローチャートＳ１０からＳ１８で説明したような一組の上下電極を決定する操作は不必要となる。
【００８３】
また、図６では、上部電極に電圧を印加して下部電極の電圧を測定する実施例を説明した。しかし、下部電極に電圧を印加して上部電極の電圧を測定する変形した実施例であっても全く同様の結果を得ることが出来る。
【００８４】
以上、２点であるＩ点とＪ点が押下げられるものとして説明したが、本発明にあっては、同時押下げ点は２点に限られることなく、３点以上の点であっても検出が不可能ではない。
【００８５】
また、本発明はその原理上、同一マトリックス内に押下げ点が２点あるいは３点以上入ると、押下げ点の位置を検出できない。また、３点以上を同時入力すれば、位置検出不可能になる事態が多発する。しかし、押下げ点が２点あるいは３点以上であっても、個々の押下げ点の（座標）移動を記録し解析して軌跡を予想すれば、上記した検出不可能となる時間帯での（座標）位置を補間することができる。
【００８６】
本発明のかかるタッチパネルの位置検出方法とタッチパネル装置は、上述のアナログ検出方式が電極に一定電流を流し、電流のバランスを測定して位置を検出する電流検知方式であってもよい。
【図面の簡単な説明】
【００８７】
【図１】タッチパネル装置１の概念説明図である。
【図２】タッチパネル４の分解説明図である。
【図３】位置検出方法の説明図である。
【図４】マトリックス検出手段が行う位置検出のフローチャートである。
【図５】アナログ検出手段が行う位置検出のフローチャートである。
【図６】マトリックス検出手段が行う変形された位置検出のフローチャートである。
【符号の説明】
【００８８】
１    タッチパネル装置
４    タッチパネル
５    マトリックス検出手段
６    マトリックス記憶部
７    アナログ検出手段
８    候補電極記憶部
１０  上部電極板
１１  上部基材
１２  上部電極群
１３  バスパー
１４  導電膜
２０  下部電極板
２１  下部基材
２２  下部電極群
２３  バスパー
２４  導電膜
３１  スペーサ
３２  両面テープ
４１  直流電源
４２  電圧測定器
１２１  上部電極  Ｕ１
１２２  上部電極  Ｕ２
１２３  上部電極  Ｕ３
１２４  上部電極  Ｕ４
２２１  下部電極  Ｌ１
２２２  下部電極  Ｌ２
２２３  下部電極  Ｌ３
２２４  下部電極  Ｌ４
【図１】
2010055453.tif 000003
【図２】
2010055453.tif 000004
【図３】
2010055453.tif 000005
【図４】
2010055453.tif 000006
【図５】
2010055453.tif 000007
【図６】
2010055453.tif 000008